(57)【特許請求の範囲】
【請求項１】
ケース本体の、他方のケースの押し込み方向に直交する両側面部の内側に他方のケースを保持する保持部を、この他方のケースの押し込み方向に複数設け、これらの保持部の前記押し込み方向とは反対側の後端部のものをコ字形突部とし、当該コ字形突部の下面に端部からなる段差によって第１係合部を形成し且つ当該コ字形突部の後部を後方に突出させて第２係合部を形成した一方のケースと、
一方のケースの前記第１係合部に係脱可能に係合する底面部に設けた上方に傾斜した板状の弾性片部から成る第３係合部と、一方のケースの前記押し込み方向に向かって最前の保持部に掛けられる引っ掛け部と、一方のケースの前記第２係合部に係脱可能に係合する後面部に設けた切欠きから成る第４係合部とを有する他方のケースとを備え、
前記引っ掛け部を前記保持部に掛けて一方のケース側に回動してこの一方のケースに重ねて押し込むことにより、前記第１係合部の段差に前記第３係合部を収容させて当該第１係合部の前記コ字形突部の前記端部に前記第３係合部の弾性片の端部を係合し、且つ、前記第２係合部に前記第４係合部の切欠きを係合することで前記一方のケースと前記他方のケースとを固定することを特徴とする電気機器装置の筐体構造。
【請求項２】
前記他方のケースの前記第３係合部を形成する板状の弾性片部を、両側に溝を設けて構成し、前記溝の片側に治具を挿入して倒すことで、前記第１係合部の段差に収容された前記第３係合部の前記弾性片部の端部を、前記第１係合部の前記コ字形突部の前記端部の下面により下側に位置させ、前記他方のケースを前記一方のケースから取外し可能としたことを特徴とする請求項１記載の電気機器装置の筐体構造。
【発明の詳細な説明】
【０００１】
【発明の属する技術分野】
本発明は、電話機やファクシミリ等のように電話回線を使用して情報通信を行う電気機器装置又はその他の電気機器装置の筐体構造に関するものである。
【０００２】
【従来の技術】
従来、電話回線を利用して情報通信を行う通信端末装置等の電気機器においては、図１４に示すように筐体構造は板金等から成り、複数のボスｃを有する上部ケースａとＬ字形の下部ケースｂの内部にプリント回路板ｄを収容固定し、プリント回路板ｄの前部には液晶表示器ｆと電鍵ｇとＬＥＤ（発光素子）ｈが搭載してある。
【０００３】
【発明が解決しようとする課題】
しかしながら、上記従来の電気機器の筐体構造にあっては、上部ケースａが板金構造であるために、製造上多くの工数を要し、また、組立にあたっては下部ケースｂを上部ケースａの複数のボスｃに多くのねじｉを用いて固定するため、組立ての作業性が悪いなどの問題点があった。
【０００４】
本発明は、上記の問題点に着目してなされたものであって、その目的とするところは、従来の筐体構造に比べてねじの使用が無くなり、簡単に電気機器を組立てることができ、組立作業性を向上させることができるばかりか、ケース同士の固定が強固となり、組立が容易になる電気機器装置の筐体構造を提供することにある。
【０００６】
【課題を解決するための手段】
上記の目的を達成するために、請求項１の発明に係わる電気機器装置の筐体構造は、ケース本体の、他方のケースの押し込み方向に直交する両側面部の内側に他方のケースを保持する保持部を、この他方のケースの押し込み方向に複数設け、これらの保持部の前記押し込み方向とは反対側の後端部のものをコ字形突部とし、当該コ字形突部の下面に端部からなる段差によって第１係合部を形成し且つ当該コ字形突部の後部を後方に突出させて第２係合部を形成した一方のケースと、一方のケースの前記第１係合部に係脱可能に係合する底面部に設けた上方に傾斜した板状の弾性片部から成る第３係合部と、一方のケースの前記押し込み方向に向かって最前の保持部に掛けられる引っ掛け部と、一方のケースの前記第２係合部に係脱可能に係合する後面部に設けた切欠きから成る第４係合部とを有する他方のケースとを備え、前記引っ掛け部を前記保持部に掛けて一方のケース側に回動してこの一方のケースに重ねて押し込むことにより、前記第１係合部の段差に前記第３係合部を収容させて当該第１係合部の前記コ字形突部の前記端部に前記第３係合部の弾性片の端部を係合し、且つ、前記第２係合部に前記第４係合部の切欠きを係合することで前記一方のケースと前記他方のケースとを固定したことを特徴とする。
【０００７】
かかる構成により、従来の筐体構造に比べてねじの使用が無くなり、簡単に電気機器を組立てることができ、組立作業性を向上させることができる一方、他方のケースと一方のケースの係合部を設けることにより固定が強固になるばかりか、組立が容易になり、簡単に電気機器を組立てることができ、装組立作業性を向上させることができる。
【０００９】
また、かかる構成により、他方のケースに設けた第３係合部の溝にねじ回しの先端を挿入、倒すことで、前記弾性片部の端部が一方のケースの係合部の最下部より下方に位置した時点で他方のケースを引き抜くことで、この他方のケースの取外しが可能になり、筐体の組立、分解作業性を向上させることができる。
【００１０】
また、上記の目的を達成するために、請求項２の発明に係わる電気機器装置の筐体構造は、前記他方のケースの前記第３係合部を形成する板状の弾性片部を、両側に溝を設けて構成し、前記溝の片側に治具を挿入して倒すことで、前記第１係合部の段差に収容された前記第３係合部の前記弾性片部の端部を、前記第１係合部の前記コ字形突部の前記端部の下面により下側に位置させ、前記他方のケースを前記一方のケースから取外し可能としたことを特徴とする。
【００１２】
【発明の実施の形態】
以下、本発明の実施の形態例を図面（図１乃至図１３）を参照して説明する。図１は本発明の実施例の形態例に係わる筐体構造を備えた電気機器装置の正面側から見た斜視図、図２は同電気機器装置の後面から見た斜視図、図３は同電気機器装置の分解斜視図である。なお、図３において、Ｘ−Ｘ´方向が前後方向（下部ケースの押込み方向及びこの押込み方向とは反対方向）であり、Ｙ−Ｙ´方向が左右方向である。
【００１３】
本発明に係わる筐体構造を備えた電気機器装置は、一方のケースである合成樹脂製の上部ケース１と、他方のケースである金属製の下部ケース２と、表示パネル３と、押しボタンユニット４と、プリント回路板５、６とで構成されている。
【００１４】
前記上部ケース１は、図４に示すように上面部１Ａと左、右側面部１Ｂ、１Ｃと前面部１Ｄとを有し且つ後面部が欠如したケース本体を備えており、このケース本体の左側面部１Ｂには放熱孔１ａが形成してあり、また、左、右側面部１Ｂ、１Ｃの内面部には、前後に位置させて保持部であるプリント回路板保持部２０、２１、２２、２３が上部ケース１と一体に突設されている。
【００１５】
前部下側のプリント回路板保持部２０は、上下のコ字形突部１ｅ，１ｆを背中合わせにしてコ字形突部１ｅ、１ｆ間にガイド溝１ｗを形成し且つ下側のコ字形突部１ｆと左、右側面部１Ｂ、１Ｃの内面部との間に挿入溝１ｇを形成したものであり、また、前部上側のプリント回路板保持部２１は、上下のコ字形突部１ｅ、１ｆを背中合わせにしてコ字形突部１ｅ、１ｆ間にガイド溝１ｗと前部を塞ぐスロッパ部１ｐを形成したものである。
【００１６】
また、後部上側のプリント回路板保持部２２は、上下のコ字形突部１ｅ、１ｆを背中合わせにしてコ字形突部１ｅ、１ｆ間にガイド溝１ｗを形成したものであり、また、後部下側のプリント回路板保持部２３は、上下のコ字形突部１ｅ、１ｆを背中合わせにしてコ字形突部１ｅ、１ｆ間にガイド溝１ｗを形成し、さらに、上側のコ字形突部１ｅに対して下側のコ字形突部１ｆの後部を後方に突出させて、この突出部分を第２係合部（他方の上部ケース側係合部）としての係合部２４になし、前記ガイド溝１ｗの前部にプリント回路板５の切欠き５ａと係合する突部１ｍを形成したものである。また、プリント回路板保持部２１、２２はコ字形突部１ｅの上部と上部ケース１の上面部１Ａの内面との間には隙間１ｘが設けてある。
【００１７】
そして、後部下側のプリント回路板保持部２３には、図４に示すように第１係合部（一方の上部ケース側係合部）である係合部２９が形成してある。この係合部２９は、前記プリント回路板保持部２３の下側のコ字形突部１ｆの下面に、端部１ｎから成る段差１ｋが構成してある。また、左、右側面部１Ｂ，１Ｃの内面部には、中央付近にリブ１ｈが形成してあり、これらの縦リブ１ｈの下端部にはリブ１ｖと隙間１ｊが形成してある。
【００１８】
前記上部ケース１の前面部１Ｄには、押ボタンユニット４を収容固定する押ボタンユニット収容部２５と、液晶表示器７の両側に設けた段差７ａを収容する縦リブ１ｉと、長方形の開口部１ｓが設けてある。
【００１９】
押ボタンユニット収容部２５は、押ボタンユニット４の押ボタン４ａを収容する複数の孔１ｑと、突部４ｂを収容する複数の孔１ｄと、プリント回路板５に搭載したＬＥＤ８の光を透過する複数の孔１ｃがそれぞれ設けてある。
【００２０】
前記上部ケース２は、図５に示すように電気機器における静電気やノイズ等をシールドする目的から板金等の導体で一体形成されており、底面部２Ａと後面部２Ｂとを有し、底面部２Ａには放熱孔２ｎが形成してある。
【００２１】
また、底面部２Ａの両側には上部ケース１の隙間１ｇ、１ｊと係合するリブ２ｅが形成してあり、リブ２ｅの前部には引っ掛け部２７が形成してあり、この引っ掛け部２７は切欠き２Ｃを有するＬ字形突部２ｂより成る。前記リブ２ｅの後端部が欠如していて平坦部２ｊにしてあり、リブ２ｅの後端部がストッパ分２ｄに成されている。また、前記底面部２Ａの前縁部にはリブ２ｍが形成されており、リブ２ｍの一部には液晶表示器７の下部を固定するＬ字形の曲げ部２ａが設けてある。
【００２２】
また、前記下部のケース２の底面部２Ａの後部で、その両端部には上部ケース１の係合部２９と係合する第３係合部（一方の下部ケース側係合部）である係合部２８が設けてあり、この係合部２８には溝２ｌ、２ｐから成る上方に傾斜した板状の弾性片２ｒが設けてある。この係合部２８の溝２ｌ、２ｐの片側に治具であるねじ回し３３の先端３３ａを挿入して倒すことで押下げ手段を構成している。
【００２３】
前記下部のケース２の後面部２ＢにはＶ字状の切欠き部２ｈと孔２ｇと複数の開口部２ｉと前記リブ２ｅの後端部のストッパ部２ｄに対向した第４係合部（他方の下部ケース側係合部）として切欠き２ｆとが形成してある。
【００２４】
前記表示パネル３は、図３に示すように押ボタンユニット４の押ボタン４ａを収容する孔３ｂと、プリント回路板５に搭載するＬＥＤ８の光を透過する複数の透明部３ａが設けてあり、この透明部３ａには光を拡散する拡散処理が施されている。
【００２５】
前記押ボタンユニット４は、図７に示すように長方形状のケース本体４Ａを備えており、このケース本体４Ａの前面部には左、右に位置させて前記上部ケース１の孔１ｄと係合する突部４ｂが突設してあり、また、ケース本体４Ａの上面部には左、右に位置させて前記上部ケース１のへこみ１ｂと係合する突部４ｃが設けてある。
【００２６】
また、ケース本体４Ａの前面側には複数の押ボタン４ａが左、右に並べて配置してあり、これらの押ボタン４ａはバネ性を有する押ボタン連結片４ｄを介してケース本体４Ａに取付けてあり、押ボタン４ａの下側にはストッパ部４ｈが設けてある。また、押ボタン４の背面部の下側には電鍵９の先端９ａと接触する台４ｇが形成してある。また、前記ケース本体４Ａ内の下側には複数の溝４ｉを有する横リブ４ｊが設けてあり、また、ほぼ中央付近には柱４ｅが設けてあり、ケース本体４Ａと柱４ｅの下部にはプリント回路板５の前端部５ｃを収容する溝４ｆが設けてある。
【００２７】
前記プリント回路板５は、図６に示すようにプリント配線板より構成されていて、その配線板本体５Ａの上面には液晶表示器７に接続しているケーブル７ｂと、ケーブル１７を接続するコネクタ１３ａ、１３ｂが実装されている。配線板本体５Ａの面部の前端部５Ｃには先端９ａを有する電鍵９と、ＬＥＤ８が設けてある。また、前記配線板本体５Ａの後縁部には、インターフェースを構成するコネクタ１４、１５、１６と、ネジ孔１０ａを有するホルダー１０が設けてあり、このホルダー１０にはケーブルホルダー１１ａで固定したケーブル１１と、電源スイッチ１２が搭載してある。また、配線板本体５Ａの両側の前端部には面取り部５ｂが、後部には切欠き部５ａがそれぞれ形成してある。
【００２８】
前記プリント回路板６はプリント配線板より成り、この配線板本体６Ａの下面の側部にはケーブル１７を接続するコネクター１３Ｃが搭載してある。また、配線板本体６Ａの両側の前端部には面取り部６ａが形成してある。
【００２９】
次に、上記のように構成された電気機器の組立て動作を説明する。
まず、上部ケース１の前部外側に表示パネル３を貼り付け固定する。次に押ボタンユニット４を上部ケース１の前面部１Ｄの内側に収容し、上部ケース１のへこみ１ｂ、孔１ｄと、押ボタンユニット４の突部４ｂ，４ｃをそれぞれ係合する。ここで、上部ケースの孔１ｄと押ボタンユニット４の突部４ｂとの係合は押ボタンユニット４の上下方向を固定し、一方、上部ケース１のへこみ１ｂと押ボタンユニット４の突部４ｃの係合は押ボタンユニット４の上部の水平方向を固定している。
【００３０】
次に、プリント回路板５、６を、それぞれに搭載してあるコネクター１３ｂ、１３ｃに接続ケーブル１７を挿入して互いに電気的に接続する。一方、液晶表示器７に接続された接続ケーブル７ｂの先端をプリント回路板５に搭載されたコネクタ１３ａに挿入して電気的に接続する。
【００３１】
次に、上記のように液晶表示器７と、接続ケーブル１７を介して、電気的に接続したプリント回路板５、６を、上部ケース１の左、右側面部１Ｂ、１Ｃに設けたプリント回路板５、６を上部ケース１の左、右側面部１Ｂ、１Ｃに設けたプリント回路板保持部２２、２３のガイド溝１ｗに、プリント回路板５、６の左、右側縁部を挿入し、このプリント回路板５、６を、上部ケース１の背面から前方に移動させ、プリント回路板５、６の左、右側縁部を前側部のプリント回路板保持部２０、２１のガイド溝１ｗに順次挿入して、後側部のプリント回路板２３の突部１ｍに、プリント回路板５の後部に設けた切欠き５ａを係合してプリント回路板５を上部ケース１に固定する。
【００３２】
一方、プリント回路板６を収容し、プリント回路板６の後端部６ｂを、プリント回路板５の後縁部に搭載したホルダー１０の端部１０ｂで押さえることで、プリント回路板６の水平方向を固定している。
【００３３】
ここで、プリント回路板５、６の前部へ面取り部５ｂ、６ａと、プリント回路板保持部２０、２１、２２、２３のガイド溝１ｗの入口部分の丸味１ｚは、プリント回路板５、６を挿入する際の作業性を容易にしている。
【００３４】
一方、液晶表示器７の上部を上部ケース１の前面部１Ｄの内面と突部１ｌとの間に係合することで液晶表示器７の上部の水平方向を押さえ、液晶表示器７の両側に設けた段差７ａを上部ケース１の前面部１Ｄの縦リブ１ｉの内側に収容することで液晶表示器７の左、右方向の動きを押さえている。
【００３５】
次に、前記上部ケース１と下部ケース２の固定を説明する。
まず、上部ケース１を反転させてその上面部１Ａを下にした状態で、上部ケース１の前部のプリント回路板保持部２０の下側に下部ケース２のＬ字形突部２ｂを挿入して係合し、この上部ケース２を前部のプリント回路板保持部２０の部分を支点にして上部ケース１側に倒して下部ケース２を上部ケース１に重ねて、下部ケース２の左、右のリブ２ｅを上部ケース１の隙間１ｇ、１ｊに係合させる。
【００３６】
次に、この下部ケース２を前方に押し込むことにより、図８に示すように上部ケース１のプリント回路板保持部２３の下面に設けた端部１ｎから成る段差１ｋに、下部ケース２の後部の両側部に設けた弾性片２ｒを収容させて、上部ケース１の端部１ｎに下部ケース２の弾性片２ｒの端部２ｊが係合する。
【００３７】
さらに、下部ケース２の後面部２Ｂの端部２Ｋを、上部ケース１の後面中央付近の係合部２６の傾斜面１ｕに摺接させてこの端部２ｋを溝１ｔに係合する。この時、下部ケース２の切欠き２ｆに上部ケース１の後部下側プリント回路板保持部２３の下側のコ字形突部１ｆの後端部である係合部２４が係合する。
【００３８】
尚、前部でのプリント回路板保持部２０とＬ字形突部２ｂとの係合と、後部の切欠き２ｆへの係合部２４の係合は上部ケース１と下部ケース２の上下方向を固定し、上部ケース１の後部下側のプリント回路板保持部２３の下面に設けた係合部２９の段差１ｋと下部ケース２の弾性片部２ｒの係合と、後部中央付近の係合、すなわち、下部ケース２の後面部２Ｂの端部２ｋの上部ケース１への係合部２６は水平方向を固定している。
【００３９】
また、上記したように下部ケース２は下部ケース１の取付位置に下方より図８及び図９に示すように矢印（イ）方向へ載置し、矢印（ロ）方向へスライドするため上部ケース１の段差１ｋに下部ケース２の弾性片部２ｒが収容され、上部ケース１の端部１ｎに下部ケース２の弾性片部２ｒの端部２ｊが係合する。ここで、下部ケース２の弾性片部２ｒの傾斜面は、上部ケース１の段差１ｋと下部ケース２の弾性片部２ｒとの係合を容易にしている。
【００４０】
また、以上の説明においては、上部ケース１の保持部としてのプリント回路板保持部２０、２３が、プリント回路板５を案内し、且つ保持する作用と、下部ケース２を係合させる作用（「下部ケース係合部」としての作用）とを成しており、これによって、下部ケース２を成形するモールド型が容易に作成可能な構造としている。
【００４１】
しかしながら、これらの作用を共有させる必要はなく、実施態様によっては、プリント回路板保持部２０、２３と下部ケース係合部とを別々に設けることができる。すなわち、上部ケース１の左、右側面部１Ｂ、１Ｃの内面部の少し上方に、プリント回路板５の保持用に用いられるプリント回路板保持部を形成してもよい。この場合、その形状はプリント回路板保持部２０、２３と同様にすればよいことは明らかである。
【００４２】
さらに、前記下部ケース２の上部ケース１からの取外しは、図１０および図１１に示すように下部ケース２の後部の両側部に設けた係合部２８の溝２ｌ，２ｐの片側にねじ回し３３の先端３３ａを挿入して、矢印（ホ）方向へ倒すことで、下部ケース２の係合部２８が矢印（ハ）方向に移動し、下部ケース２の弾性片部２ｒの端部２ｊが上部ケース１の係合部２８の端部１ｎの下面より下側に位置した時点で下部ケース２を矢印（ニ）方向へ引き抜くことで下部ケース２の取外しを可能としている。
【００４３】
最後に、ネジ３２を下部ケース２の孔２ｇを通して、プリント回路板５のホルダー１０のねじ孔１０ａに螺挿することにより組立が完了する。この組立が完了した状態の電気機器装置を図１及び図２に示す。尚、ねじ３２は下部ケース２と、プリント回路板５のアースをホルダー１０を介して電気的に導通させることを目的としている。
【００４４】
【発明の効果】
以上説明したように、本発明に係わる電気機器装置の筐体構造によれば、ケース本体の、他方のケースの押し込み方向に直交する両側面部の内側に他方のケースを保持する保持部を、この他方のケースの押し込み方向に複数設け、これらの保持部の前記押し込み方向とは反対側の後端部のものをコ字形突部とし、当該コ字形突部の下面に端部からなる段差によって第１係合部を形成し且つ当該コ字形突部の後部を後方に突出させて第２係合部を形成した一方のケースと、一方のケースの前記第１係合部に係脱可能に係合する底面部に設けた上方に傾斜した板状の弾性片部から成る第３係合部と、一方のケースの前記押し込み方向に向かって最前の保持部に掛けられる引っ掛け部と、一方のケースの前記第２係合部に係脱可能に係合する後面部に設けた切欠きから成る第４係合部とを有する他方のケースとを備え、前記引っ掛け部を前記保持部に掛けて一方のケース側に回動してこの一方のケースに重ねて押し込むことにより、前記第１係合部の段差に前記第３係合部を収容させて当該第１係合部の前記コ字形突部の前記端部に前記第３係合部の弾性片の端部を係合し、且つ、前記第２係合部に前記第４係合部の切欠きを係合することで前記一方のケースと前記他方のケースとを固定したことにより、従来の筐体構造に比べてねじの使用が無くなり、簡単に電気機器を組立てることができ、組立作業性を向上させることができる一方、他方のケースと一方のケースの係合部を設けることにより固定が強固になるばかりか、組立が容易になり、簡単に電気機器を組立てることができ、装組立作業性を向上させることができる。
【図面の簡単な説明】
【図１】本発明の実施の形態例に係わる筐体構造を備えた電気機器装置の正面側から見た斜視図である。
【図２】同電気機器装置の後面から見た斜視図である。
【図３】同電気機器装置の分解斜視図である。
【図４】上部ケースの斜視図である。
【図５】下部ケースの斜視図である。
【図６】プリント回路板の斜視図である。
【図７】押ボタンユニットの斜視図である。
【図８】上部ケースと下部ケースの係合状態に示す斜視図である。
【図９】同部分詳細図である。
【図１０】上部ケースと下部ケースの取外し操作状態を示す斜視図である。
【図１１】同部分詳細図である。
【図１２】押ボタンユニットとプリント回路板の係合状態を示す斜視図である。
【図１３】液晶表示器の固定状態を示す斜視図である。
【図１４】従来の電気機器装置の筐体構造の分解斜視図である。
【符号の説明】
１    上部ケース（一方のケース）
１ｋ  段差
１ｎ  端部
２    下部ケース（他方のケース）
２ｌ  溝
２ｐ  溝
２ｊ  端部
２ｒ  弾性片部
２ｆ  切欠き（第４係合部）
２４  係合部（第２係合部）
２８  係合部（第３係合部）
２９  係合部（第１係合部）
３３  ねじ回し（治具、押下げ手段）
【図１】
0003681224.tif 000002
【図２】
0003681224.tif 000003
【図３】
0003681224.tif 000004
【図４】
0003681224.tif 000005
【図５】
0003681224.tif 000006
【図６】
0003681224.tif 000007
【図７】
0003681224.tif 000008
【図８】
0003681224.tif 000009
【図９】
0003681224.tif 000010
【図１０】
0003681224.tif 000011
【図１１】
0003681224.tif 000012
【図１２】
0003681224.tif 000013
【図１３】
0003681224.tif 000014
【図１４】
0003681224.tif 000015